(57)【要約】      （修正有）【課題】移動車両の運転者が無線交信時にマイクに向かって会話する呼気の変化を捉えて移動指令所において担当者が運転手の体調を把握することができるようにする。【解決手段】マイクにある音声入力部、センサー部の信号は無線送受信装置内の音声検出増幅部、センサー検出増幅部に於いて増幅され、データ化され音声・データ送受信機に於いて車に取付けられたアンテナから送信される。又、それぞれの呼気データは無線送受信装置内、若しくは外部別置きのセンサーデータロギング部に記録され、それぞれ呼気データは取外し可能な記録媒体、例えばカード、メモリースティック等に記録され帰車後に移動指令所に於いてデータを取り出せることができる。【選択図】図９
2008130066.tif 000002
【特許請求の範囲】
【請求項１】
移動無線装置の音声マイクに呼気検出部を具備し、送話時の呼気を呼気検出部で検知し、呼気検出増幅部で増幅し、音声は音声検出増幅部で増幅するとともに、音声・呼気検出データを音声・呼気データ送受信部にて送信を行う移動無線装置の音声マイクに呼気検出部を一体化した無線装置。
【請求項２】
移動無線装置の音声マイクに外部取付が可能な呼気検出部を音声マイクに取付け、送信時の呼気を呼気検出部で検知、請求項１と同様に音声・呼気データ送受信部にて無線送信を行う移動無線装置
【請求項３】
移動無線装置の音声マイクに呼気検出部をマイクと一体化及びマイクの外側に装着できるようにして、送話時の呼気を呼気検出部で検知し、呼気検出増幅部で増幅し、呼気検出データロギング装置に記録できるようにした移動無線装置。
【請求項４】
上記請求項１及び２の移動無線装置から送信された音声・呼気検出データの電波は移動無線指令所（仮称）において、音声・呼気検出データ送受信部にて受信し、音声増幅部、呼気検出データ制御部にて音声・表示・警報をコントロールデスクのパネルに表示できるようにし移動無線使用者、即ち運転者の体調を移動無線指令所（仮称）において出来るようにした請求項１及び２の移動無線装置システム。
【発明の詳細な説明】
【技術分野】
【０００１】  本発明は運転者（特に移動車両の運転者）が業務連絡などに使用する無線送受信器のマイクに呼気検出部（以下、センサー部と記載）と音声入力部を一体化し、又、既存の車載用無線送受信装置に使用のマイクの外部にセンサー部を取付けることができるようにし、通話時にマイクに向かって話す呼気をセンサー部で捉え、検出したデータを記録又は、移動無線指令所（仮称）（以下、移動無線指令所と記載）で受信できる無線送受信装置及びシステムに関する。
【背景技術】
【０００２】  最近、長距離トラック、長距離バス等の運転手の健康管理が叫ばれている。睡眠不足、仮眠を取る際の飲酒、過勤務などにより、運転中の体調の変化を移動無線指令所と無線の交信を行うときに、マイクに具備したセンサー部において呼気の変化を捉えて、音声・検出データとして送信できる無線送受信装置及びシステムを制作する。
【発明の開示】
【発明が解決しようとする課題】
【０００３】  長距離トラック、長距離バスが業務指令を受け、一旦車庫から出発してしまうと、帰ってくるまでの間、無線送受信装置で行う定時連絡などの音声で無事に運行しているのが判る。が、移動無線指令所は定時連絡の微妙な話し方の変化を運転手との交信のやり取りをしながら経験で運転者の体調を判断している。【０００４】  そこで本発明は車載されている無線送受信装置のマイクにセンサー部を一体化し又はマイク外部に取付け、移動無線指令所と交信時にセンサー部で検知した呼気データを音声・呼気データとして送信し移動無線指令所で運転手の体調を捉え、又、移動無線指令所以外の交信時には呼気データを記録し、運転手が帰って来たら移動無線指令所の担当者が呼気データを解析し運転手の体調管理ができる利便性の向上を図ることができるようにした。
【課題を解決するための手段】
【０００５】  本発明は車載用無線送受信装置のマイクにセンサー部を一体化し、若しくは既存の車載用無線送受信装置に使用されているマイクの外部にセンサー部を取付けられるようにし、交信時にマイクから音声入力部、センサー部から呼気データをマイクから据付装置内の音声検出増幅部、センサー検出増幅部にて増幅し、音声・呼気データ送受信部にて送信される。【０００６】  音声・呼気データが移動指令所に送信されるが、呼気データは移動指令所以外と交信される状態においても呼気データがセンサーデータロギング部にタイムデータと共に記録される。この記録を適時、手動及び自動にて音声・データ送受信部を介して移動指令所に送信することが出来る。又、呼気データは取外し可能な記録媒体、例えばカード、メモリースティックに記録され帰車後に移動指令所に於いてデータを取り出せるようにした。【０００７】  また、移動指令所で音声・データ送受信部において受信し、音声は音声増幅部で移動指令所のコントロールデスクのスピーカに出力し、移動指令所の担当者と運転手と交信し、呼気データはデータ制御部に於いて解析し、コントロールデスクの表示部に呼気データを表示、そのデータ表示に基づき運転手に業務指令の指示などを行う。又、必要であれば記録されたロギング呼気データを手動で送信させ、確認することもできる。【０００８】  このデータ表示とは運転手がマイクに話しかける呼気に含まれる情報、例えば、仮眠前に飲酒した場合の呼気に含まれるアルコールを検出、交信時の呼吸の回数、呼気の温度、湿度など、呼気に含まれる情報をそれぞれのセンサーで検知したものを解析して表示を行うことが出来るようにした呼気センサー組込みマイクによる送受信装置及びシステム。
【発明の効果】
【０００９】  本発明は長距離トラック、長距離バス等が車庫から出発すると帰車するまでの間は、運転手と定時連絡等で安否を確認することしかできない。深夜、仮眠時に飲んだお酒が体から完全に取れているか、運転中に気分が悪いのに無理をしていないか、運転手の報告を信用しつつ、常に心配が付きまとう。運転者が移動指令所と交信する時にマイクに付帯したセンサーからの呼気データを受信する事で、飲んだお酒が覚めない状態で運転しているか、呼吸の乱れがないか、などがコントロールデスクの表示パネルに映され、それを見ながら運転者と交信し、運転手の体調を捉え、ひいては長距離トラック、長距離バス等の安全運転に繋がる利便性を図ることが出来るという効果がある。
【発明を実施するための最良の形態】
【００１０】  長距離トラック、長距離バス等の運転者が移動指令所と交信する時に使用するマイク本体の内部に音声入力部とセンサー部を組み込み、音声を捉えるとともに声を出した時に含まれる呼気を捉えることができるマイクケース穴付近にセンサー部を設ける。又、既存の無線送受信装置の場合にはマイクケース外部の音声を捉える穴付近に取付け可能なセンサー部を用意する。それぞれはケーブルで据付られた無線送受信装置に接続される。【００１１】  マイクにある音声入力部、センサー部の信号は無線送受信装置内の音声検出増幅部、センサー検出増幅部に於いて増幅、データ化し音声・データ送受信機に於いて車に取付けられたアンテナから送信される。又、それぞれの呼気データは無線送受信装置内、若しくは外部別置きのセンサーデータロギング部に記録され、それぞれ呼気データは取外し可能な記録媒体、例えばカード、メモリースティックに記録され帰車後に移動指令所に於いてデータを取り出せることもできるようにしてある。【００１２】  車のアンテナから送信された音声・呼気データは移動指令所のアンテナを通して音声・データ送受信部で受信し、音声増幅部、データ制御部で解析されてコントロールデスクにおいて音声は入力拡声部のスピーカにより放声され、呼気データは表示パネルに表示する。【００１３】  移動指令所の交信担当者は音声による会話と呼気データの表示を見ながら、運転者と適切な交信指示ができる無線送受信装置及びシステムを完成する。
【実施例１】
【００１４】  図１は一般的な運転時にマイクを手に持ち交信している一例の斜視図でありマイク１を持ち、片方の手はハンドル２で操作しながら話し、マイク１からコード３で無線送受信装置４に接続されて無線送受信装置４からアンテナ５を通して交信する。図２はハンドマイクの一例の斜視図、そして、図３は固定式マイクスタンドの一例の斜視図である。どのマイク１も自動車走行時の騒音に負けないように出来るだけ口元にマイクを近づけて話をするのが一般的である。図２、図３はマイクケース内に音声入力部とセンサー部を一体化した場合の一例の斜視図でもある。【００１５】  図４及び図５は既存のマイク１の外部に取付け可能にしてセンサー部６を取付けた一例の斜視図である。【００１６】  図６は請求項１に係わるブロック図の一例である。運転者が無線送受信装置４のマイク１に向かい交信すると、運転手の声と同時に呼気が吐き出され呼吸する状態の音声・呼気７がマイク１に具備された音声入力部８、センサー部９が捉え、コード３で車内に据え付けられた無線送受信装置４に接続、無線送受信装置４内の音声検出増幅部１０、センサー検出増幅部１１に於いて増幅、データ化され、呼気データはタイムデータと共にセンサーデータロギング部１２に取出し可能な記録媒体１３、例えばカード、メモリースティック等に記録される。音声検出増幅部１０、センサー検出増幅部１１に於いて増幅、データ化された音声・呼気データは音声・データ送受信装置４によりアンテナ５を介して送信される。又、移動指令所以外と交信している時の呼気データをセンサーデータロギング部１２から手動及び自動にて音声・データ送受信装置１５からアンテナ５を介して送信することができる。
【実施例２】
【００１７】  図７は請求項２に係わるブロック図である。音声・呼気７が既存のマイク１の外部に取付けが可能にしたセンサー部１４が設けられ音声は音声入力部８を経てコード３で無線送受信器４に接続され音声検出増幅部１０で増幅し音声・データ送受信装置１５からアンテナ５を介して送信される。呼気はセンサー部１４により検出されたデータを専用のセンサー検出増幅器１６において増幅され、増幅された呼気データは専用のセンサー検出増幅器１６が収納されている筐体内にセンサーデータロギング部１９を設けてタイムデータと共に記録し、取出し可能な記録媒体１３、例えばカード、メモリースティック等にも記録される。そして呼気データはコード１７で音声・データ送受信装置１５を経てアンテナ１８から送信される。又、移動指令所以外と交信している時の呼気データをセンサーデータロギング部１９から手動及び自動にて音声・データ送受信装置１５からアンテナ１８を介して送信することができる。
【実施例３】
【００１８】図８は請求項３に係わるブロック図である。音声・呼気７がマイク１に具備された音声入力部８、センサー部９が捉え、コード３で車内に据付けた無線送受信装置４に接続されアンテナ５を介して送信される。呼気はセンサー部９を経てセンサー検出増幅部１１にてデータ化し、呼気データはタイムデータと共にセンサーデータロギング部１２に取出し可能な記録媒体、例えばカード、メモリースティック等１３に記録される。移動指令所以外と交信している場合にも呼気データをセンサーデータロギング部１２に記録し、取出し可能な記録媒体１３、例えばカード、メモリースティック等にも記録される。帰車後、記録媒体１３のカード、メモリースティック等を取出し、移動指令所等に於いて呼気データを解析することができる。
【実施例４】
【００１９】  図９は請求項４に係わるブロック図である。請求項１及び２の無線送受信装置４から音声及び呼気データがアンテナ５を介して送信され、移動指令所のアンテナ２９を介してコントロールデスク２０に装備された音声・データ送受信部２１で受信、音声は音声検出増幅部２２で増幅し、コントロールデスク２０の入力音声拡声部２３にて放声する。呼気データはコントロールデスク２０内にあるデータ制御部２４で解析され、センサーデータロギング部２５に記録され、且つ、呼気データはコントロールデスク２０の表示パネル２６に表示、呼気データの結果が要注意などの場合にはセンサー警報部２７において警報ランプ、ブザーなどで判るようにし、移動指令所の担当者はコントロールデスク２０の情報を見ながら、移動車両の運転者と音声入力部２８から音声増幅部２２、音声・データ送受信部２１を介して交信する。【００２０】  請求項３の車両が帰車した場合は、図８の取出し可能な記録媒体１３、例えばカード、メモリースティック等に記録された呼気データをコントロールデスク２０のセンサーロギング部２５又は別に用意されたセンサーロギング部２５に持ち寄り呼気データ解析を行う事ができる。
【図面の簡単な説明】
【００２１】
【図１】一般的な運転時にマイクを手に持ち交信している一例の斜視図
【図２】ハンドマイクの一例の斜視図
【図３】固定式マイクスタンドの一例の斜視図
【図４】既存のマイクの外部に取付け可能にしてセンサー部を取付けた一例の斜視図
【図５】既存のマイクの外部に取付け可能にしてセンサー部を取付けた一例の斜視図
【図６】請求項１に係わるブロック図の一例
【図７】請求項２に係わるブロック図
【図８】請求項３に係わるブロック図
【図９】請求項４に係わるブロック図
【符号の説明】
【００２２】１    マイク
２    ハンドル
３    コード
４    無線送受信装置
５    アンテナ
６    センサー部
７    音声・呼気
８    音声入力部
９    センサー部
１０  音声検出増幅部
１１  センサー検出増幅部
１２  センサーデータロギング部
１３  記録媒体
１４  センサー部
１５  音声・データ送受信装置
１６  センサー増幅器
１７  コード
１８  アンテナ
１９  センサーデータロギング部
２０  コントロールデスク
２１  音声・データ送受信部
２２  音声増幅部
２３  入力音声拡声部
２４  データ制御部
２５  センサーデータロギング部
２６  表示パネル
２７  センサー警報部
２８  音声入力部
２９  アンテナ
【図１】
2008130066.tif 000003
【図２】
2008130066.tif 000004
【図３】
2008130066.tif 000005
【図４】
2008130066.tif 000006
【図５】
2008130066.tif 000007
【図６】
2008130066.tif 000008
【図７】
2008130066.tif 000009
【図８】
2008130066.tif 000010
【図９】
2008130066.tif 000011